【手続補正書】
【提出日】平成16年7月6日(2004.7.6)
【手続補正１】
【補正対象書類名】明細書
【補正対象項目名】発明の名称
【補正方法】変更
【補正の内容】
【発明の名称】送信装置および受信装置
【手続補正２】
【補正対象書類名】明細書
【補正対象項目名】特許請求の範囲
【補正方法】変更
【補正の内容】
【特許請求の範囲】
【請求項１】
コンテンツ情報を含む放送データを送信する送信装置であって、
コンテンツ情報を入手するコンテンツ情報入手手段と、
前記コンテンツ情報入手手段により入手されたコンテンツ情報の一定量毎に、その一定量のコンテンツ情報の視聴を制限するか否かの判定基準を示す視聴属性を決定する視聴属性決定手段と、
前記コンテンツ情報入手手段により入手されたコンテンツ情報に、前記視聴属性決定手段により決定された視聴属性を付加する視聴属性付加手段と、
視聴属性が付加されたコンテンツ情報を含む放送データを出力する放送データ出力手段と
を備えることを特徴とする送信装置。
【請求項２】
前記視聴属性決定手段は、さらに、
前記コンテンツ情報入手手段により入手されたコンテンツ情報の一定量毎に、その一定量のコンテンツ情報がダウンロード用コンテンツ情報であることを示すダウンロード属性を決定し、
前記視聴属性付加手段は、さらに、前記コンテンツ情報入手手段により入手されたコンテンツ情報に、前記視聴属性決定手段により決定されたダウンロード属性を付加し、
前記放送データ出力手段は、さらに、ダウンロード属性が付加されたコンテンツ情報を含む放送データを出力すること
を特徴とする請求項１記載の送信装置。
【請求項３】
前記送信装置は、さらに、
前記視聴属性決定手段により決定された視聴属性に基づいて、前記コンテンツ情報入手手段により入手されたコンテンツ情報を、視聴を制限したコンテンツ情報に変換するか又は全く変換せずに前記視聴属性付加手段へ渡すコンテンツ情報変換手段を備え、
前記視聴属性決定手段は、前記コンテンツ情報入手手段により入手されたコンテンツ情報の一定量毎に視聴属性を複数決定し、
前記視聴属性付加手段は、前記コンテンツ情報入手手段により入手されたコンテンツ情報に、前記視聴属性決定手段により決定された一の視聴属性を付加し、前記コンテンツ情報変換手段から渡されたコンテンツ情報に、前記視聴属性決定手段により決定された他の視聴属性を付加し、
前記放送データ出力手段は、視聴属性が付加されたコンテンツ情報を複数含む放送データを出力すること
を特徴とする請求項１記載の送信装置。
【請求項４】
前記コンテンツ情報変換手段により変換される視聴を制限したコンテンツ情報は、モザイク画、静止画又はあらかじめ保持しておいたコンテンツ情報であること
を特徴とする請求項３記載の送信装置。
【請求項５】
前記コンテンツ情報入手手段は、個別のコンテンツ情報をそれぞれ入手する複数の個別コンテンツ情報入手手段を含み、
前記視聴属性決定手段は、前記コンテンツ情報入手手段により入手されたコンテンツ情報の一定量毎に視聴属性を複数決定し、
前記送信装置は、さらに、
前記視聴属性決定手段により決定された一の視聴属性に基づいて、前記複数の個別コンテンツ情報入手手段によりそれぞれ入手された個別のコンテンツ情報の中からいずれかを選択するコンテンツ情報選択手段を備え、
前記視聴属性付加手段は、前記コンテンツ情報選択手段により選択されたコンテンツ情報に、前記視聴属性決定手段により決定された前記一の視聴属性を付加し、一の前記個別コンテンツ情報入手手段により入手されたコンテンツ情報に、前記視聴属性決定手段により決定された他の一の視聴属性を付加し、
前記放送データ出力手段は、視聴属性が付加されたコンテンツ情報を複数含む放送データを出力すること
を特徴とする請求項１記載の送信装置。
【請求項６】
前記コンテンツ情報入手手段は、個別のコンテンツ情報をそれぞれ入手する複数の個別コンテンツ情報入手手段を含み、
前記視聴属性決定手段は、前記複数の個別コンテンツ情報入手手段により入手された個別のコンテンツ情報の一定量毎に個別の視聴属性を決定し、
前記視聴属性付加手段は、前記複数の個別コンテンツ情報入手手段によりそれぞれ入手された個別のコンテンツ情報に、前記視聴属性決定手段により決定された個別の視聴属性をそれぞれ付加し、
前記放送データ出力手段は、視聴属性が付加されたコンテンツ情報を複数含む放送データを出力すること
を特徴とする請求項１記載の送信装置。
【請求項７】
前記送信装置は、さらに、
ある一定量の論理ブロックに多重される視聴属性とコンテンツ情報の数を示す多重属性を決定する多重属性決定手段と、
前記多重属性決定手段により決定された多重属性に基づいて、視聴属性が付加されたコンテンツ情報を前記多重属性が示す数だけ選択して放送データを生成する放送データ生成手段と、
前記放送データ生成手段により生成された放送データに前記多重属性決定手段により決定された多重属性を付加して新たな放送データとする多重属性付加手段とを備え、
前記放送データ出力手段は、多重属性が付加された放送データを出力すること
を特徴とする請求項６記載の送信装置。
【請求項８】
放送データを受信し、受信した放送データに基づいてコンテンツ情報を再生し出力する受信装置であって、
一定量のコンテンツ情報毎にそのコンテンツ情報の視聴を制限するか否かの判定基準を示す視聴属性が付加された一定量のコンテンツ情報を含む放送データを受信する放送データ受信手段と、
前記放送データ受信手段により受信された放送データから視聴属性を抽出する視聴属性抽出手段と、
前記視聴属性抽出手段により抽出された視聴属性に基づいて、この視聴属性が付加されたコンテンツ情報の視聴を制限するか否かを判定する視聴属性判定手段と、
前記視聴属性判定手段により、視聴を制限すると判定された場合には、その判定に係るコンテンツ情報を再生せず、視聴を制限しないと判定された場合には、その判定に係るコンテンツ情報を再生し出力する選択再生手段と
を備えることを特徴とする受信装置。
【請求項９】
前記選択再生手段は、視聴を制限すると判定された場合には、その判定に係るコンテンツ情報を再生する代わりに、直前に再生されたコンテンツ情報をポーズ再生すること
を特徴とする請求項８記載の受信装置。
【請求項１０】
前記選択再生手段は、
前記視聴属性判定手段により視聴を制限すると判定された場合には、その判定に係るコンテンツ情報を渡さず、視聴を制限しないと判定された場合には、その判定に係るコンテンツ情報を渡すことにより再生を制御する再生制御手段と、
前記再生制御手段から渡されたコンテンツ情報を再生し出力する再生手段とを含むこと
を特徴とする請求項８記載の受信装置。
【請求項１１】
前記再生制御手段は、
前記視聴属性判定手段により、視聴を制限すると判定された場合には、その判定に係るコンテンツ情報の代わりに他のコンテンツ情報を前記再生手段に渡すことにより再生を制御すること
を特徴とする請求項１０記載の受信装置。
【請求項１２】
前記再生制御手段は、
前記他のコンテンツ情報を格納するコンテンツ情報格納手段と、
前記視聴属性判定手段により、視聴を制限すると判定された場合には、その判定に係るコンテンツ情報の代わりに前記コンテンツ情報格納手段から前記他のコンテンツ情報を取得し前記再生手段へ渡し、視聴を制限しないと判定された場合には、その判定に係るコンテンツ情報を前記再生手段に渡すことにより再生を制御する再生制御切替手段とを含むこと
を特徴とする請求項１１記載の受信装置。
【請求項１３】
前記視聴属性抽出手段は、さらに、前記放送データ受信手段により受信された放送データからそのコンテンツ情報がダウンロード用コンテンツ情報であることを示すダウンロード属性を抽出し、
前記視聴属性判定手段は、さらに、前記視聴属性抽出手段により抽出された属性がダウンロード属性かどうかを判定し、ダウンロード属性の場合には、視聴を制限するか否かを判定せず、
前記再生制御切替手段は、さらに、前記視聴属性判定手段によりダウンロード属性であると判定された場合には、その判定に係るコンテンツ情報を前記コンテンツ情報格納手段に渡し、
前記コンテンツ情報格納手段は、前記再生制御切替手段から渡されたコンテンツ情報を格納すること
を特徴とする請求項１２記載の受信装置。
【請求項１４】
前記受信装置は、さらに、
視聴者又は視聴者の利用状況を示す情報を含む再生制御情報を保持する再生制御情報保持手段を備え、
前記視聴属性判定手段は、前記視聴属性抽出手段により抽出された視聴属性と前記再生制御情報保持手段に保持された再生制御情報とを比較することによりコンテンツ情報の視聴を制限するか否かを判定すること
を特徴とする請求項１０記載の受信装置。
【請求項１５】
前記放送データ受信手段は、視聴属性が付加された一定量のコンテンツ情報を複数含む放送データを受信し、
前記視聴属性判定手段は、前記視聴属性抽出手段により抽出された複数の視聴属性と、前記再生制御情報保持手段に保持された再生制御情報とを比較して判定することによりコンテンツ情報を選択し、
前記再生制御手段は、前記視聴属性判定手段により選択されたコンテンツ情報のみを前記再生手段に渡すことにより再生を制御すること
を特徴とする請求項１４記載の受信装置。
【請求項１６】
前記放送データ受信手段は、ある一定量の論理ブロックに多重される視聴属性とコンテンツ情報とのペアの数を示す多重属性と、視聴属性が付加された一定量のコンテンツ情報を前記多重属性が示す数だけ含む放送データを受信し、
前記受信装置は、さらに、
前記放送データ受信手段により受信された多重属性に基づいて、前記放送データ受信手段により受信された放送データが多重されているか否かを判定する多重属性判定手段を備え、
前記視聴属性判定手段は、前記視聴属性抽出手段により抽出された複数の視聴属性と、前記再生制御情報保持手段により保持された再生制御情報とを比較して判定することによりコンテンツ情報を選択し、
前記再生制御手段は、
前記多重属性判定手段により多重されていないと判定された場合には、その判定に係る放送データのコンテンツ情報を前記再生手段に渡し、多重されていると判定された場合には、前記視聴属性判定手段により選択されたコンテンツ情報のみを前記再生手段に渡すことにより再生を制御すること
を特徴とする請求項１４記載の受信装置。